(57)【要約】【課題】  直感的にサウンドの調整を行う。【解決手段】  サウンドデータを復号し、復号したサウンドデータの再生を実行するための再生プログラムが格納されてなる記録媒体１１と、再生プログラムによって再生されたサウンドデータに基づくサウンドを調整するサウンド調整機能を有し、当該サウンド調整による調整量と、当該サウンドデータに含まれている情報に応じて状態が変形するサウンド調整用ビジュアライザーをＧＵＩ化して表示部１０に表示するように制御し、表示部１０に表示されているサウンド調整用ビジュアライザーの状態をポインティングデバイス１２の操作に応じて制御する動作制御部１４と、ポインティングデバイス１２の操作に応じて動作制御部１４により動作が制御されたサウンド調整用ビジュアライザーの状態に応じて調整されたサウンドが出力されるサウンド出力部１３を備える。【選択図】  図１
2006197508.tif 000002
【特許請求の範囲】
【請求項１】
所定のファイルタイプのサウンドデータを復号し、復号したサウンドデータの再生を実行するための再生プログラムが格納されてなる記録媒体と、
上記再生プログラムによって再生されたサウンドデータに基づくサウンドを調整するサウンド調整機能を有し、当該サウンド調整による調整量と、当該サウンドデータに含まれている情報に応じて状態が変形するサウンド調整用ビジュアライザーをＧＵＩ（Graphical User Interface）化して表示部に表示するように制御する表示制御部と、
上記表示部に表示されている上記サウンド調整用ビジュアライザーを仮想的なポインタによって操作するポインティングデバイスと、
上記ポインティングデバイスの操作に応じて、上記サウンド調整用ビジュアライザーの動作を制御する動作制御部と、
上記ポインティングデバイスの操作に応じて上記動作制御部により動作が制御された上記サウンド調整用ビジュアライザーの状態に応じて調整されたサウンドが出力されるサウンド出力部を備えることを特徴とする音響再生装置。
【請求項２】
上記動作制御部は、上記サウンド調整用ビジュアライザーを上記表示部に３次元オブジェクトのＧＵＩとして表示させることを特徴とする請求項１記載の音響再生装置。
【請求項３】
上記サウンド出力部は、任意の音場を構成するように複数のスピーカにより構成されており、
上記動作制御部は、上記サウンド出力部から出力されたサウンドにより任意の音場が構成されるように、上記ポインティングデバイスにより上記サウンド調整用ビジュアライザーの状態が３次元空間的又は３次元的な傾きに変化され、所定のサウンド調整が行われることを特徴とする請求項１記載の音響再生装置。
【請求項４】
再生プログラムにより所定のファイルタイプのサウンドデータを復号し、復号したサウンドデータの再生を行う再生工程と、
上記再生工程によって再生されるサウンドデータに基づくサウンドを調整するサウンド調整機能を有し、当該サウンド調整による調整量と、当該サウンドデータに含まれている情報に応じて状態が変形するサウンド調整用ビジュアライザーをＧＵＩ（Graphical User Interface）化して表示部に表示する表示工程と、
上記表示工程により上記表示部に表示されている上記サウンド調整用ビジュアライザーを仮想的なポインタによって操作する操作工程と、
上記操作工程の操作に応じて、上記サウンド調整用ビジュアライザーの状態を変形する変形工程と、
上記変形工程により変形された上記サウンド調整用ビジュアライザーの状態に基づき、上記再生工程によって再生されるサウンドデータを調整する調整工程を備えることを特徴とする音響再生方法。
【請求項５】
所定のファイルタイプのサウンドデータを復号し、復号したサウンドデータの再生を行う再生工程と、
上記再生工程によって再生されるサウンドデータに基づくサウンドを調整するサウンド調整機能を有し、当該サウンド調整による調整量と、当該サウンドデータに含まれている情報に応じて状態が変形するサウンド調整用ビジュアライザーをＧＵＩ（Graphical User Interface）化して表示部に表示する表示工程と、
上記表示工程により上記表示部に表示されている上記サウンド調整用ビジュアライザーを仮想的なポインタによって操作する操作工程と、
上記操作工程の操作に応じて、上記サウンド調整用ビジュアライザーの状態を変形する変形工程と、
上記変形工程により変形された上記サウンド調整用ビジュアライザーの状態に基づき、上記再生工程によって再生されるサウンドデータを調整する調整工程をコンピュータに実行させるためのプログラム。
【発明の詳細な説明】
【技術分野】
【０００１】
本発明は、スピーカから出力されるサウンドを調整して再生する音響再生装置及び方法、プログラムに関する。
【背景技術】
【０００２】
所定のファイルタイプ（例えば、ＭＰ３やＷＡＶ）のサウンドデータを復号し、再生するＰＣ等の装置では、表示画面上に表示されたＧＵＩ（Graphical User Interface）化されたコントロール部をマウス等のポインティングデバイスによって操作し、音量の調整や高音と低音のバランスの調整を行う等の操作が行われている。
【０００３】
例えば、音量（ボリューム）等の音声出力に関する設定値（パラメータ）を調整する場合、図９に示すような、スライダー等を模したコントロール部（調整部）をインターフェースとして画像表示し、そのスライダー等をマウスの操作で移動させることによって操作する。
【０００４】
【特許文献１】特開平８−１７１６４７号公報
【発明の開示】
【発明が解決しようとする課題】
【０００５】
ところで、図９に示すように、この種の調整部は、各パラメータの調整スライダーやつまみを同様のデザインで表しているため、ボリュームやパンニング等の現在のサウンドの状態を一見して把握することが困難である。
【０００６】
さらに、このような表示は、従来の音響機器のボリュームやイコライザーのつまみを単に画像化したものであり、面白みや新規性に欠け、ユーザに対するエンターテイメント性がない。
【０００７】
また、現在、ＡＶ再生ソフトでは、音声のみの出力時に、再生中のオーディオのビートに合わせて、色と幾何学的な形状が変化する模様を表示するプラグイン（ビジュアライザー）が用いられているが、これは、単に画像の変形を表示させて楽しむものであり、特に利用できるものではない。
【０００８】
そこで本発明は、上述の問題点に鑑み、スピーカから出力されているサウンドを、リアルタイムに、容易に好みの設定に調整することができ、かつエンターテイメント性の高い音響再生装置及び方法、プログラムを提供する。
【課題を解決するための手段】
【０００９】
本発明に係る音響再生装置は、上述の課題を解決するために、所定のファイルタイプのサウンドデータを復号し、復号したサウンドデータの再生を実行するための再生プログラムが格納されてなる記録媒体と、再生プログラムによって再生されたサウンドデータに基づくサウンドを調整するサウンド調整機能を有し、当該サウンド調整による調整量と、当該サウンドデータに含まれている情報に応じて状態が変形するサウンド調整用ビジュアライザーをＧＵＩ（Graphical User Interface）化して表示部に表示するように制御する表示制御部と、表示部に表示されているサウンド調整用ビジュアライザーを仮想的なポインタによって操作するポインティングデバイスと、ポインティングデバイスの操作に応じて、サウンド調整用ビジュアライザーの動作を制御する動作制御部と、ポインティングデバイスの操作に応じて動作制御部により動作が制御されたサウンド調整用ビジュアライザーの状態に応じて調整されたサウンドが出力されるサウンド出力部を備える。
【００１０】
また、動作制御部は、サウンド調整用ビジュアライザーを表示部に３次元オブジェクトのＧＵＩとして表示させる。
【００１１】
また、サウンド出力部は、任意の音場を構成するように複数のスピーカにより構成されており、動作制御部は、サウンド出力部から出力されたサウンドにより任意の音場が構成されるように、ポインティングデバイスによりサウンド調整用ビジュアライザーの状態が３次元空間的又は３次元的な傾きに変化され、所定のサウンド調整が行われる。
【００１２】
また、本発明に係る音響再生方法は、上述の課題を解決するために、再生プログラムにより所定のファイルタイプのサウンドデータを復号し、復号したサウンドデータの再生を行う再生工程と、再生工程によって再生されるサウンドデータに基づくサウンドを調整するサウンド調整機能を有し、当該サウンド調整による調整量と、当該サウンドデータに含まれている情報に応じて状態が変形するサウンド調整用ビジュアライザーをＧＵＩ（Graphical User Interface）化して表示部に表示する表示工程と、表示工程により表示部に表示されているサウンド調整用ビジュアライザーを仮想的なポインタによって操作する操作工程と、操作工程の操作に応じて、サウンド調整用ビジュアライザーの状態を変形する変形工程と、変形工程により変形されたサウンド調整用ビジュアライザーの状態に基づき、再生工程によって再生されるサウンドデータを調整する調整工程を備える。
【００１３】
また、本発明に係るプログラムは、上述の課題を解決するために、所定のファイルタイプのサウンドデータを復号し、復号したサウンドデータの再生を行う再生工程と、再生工程によって再生されるサウンドデータに基づくサウンドを調整するサウンド調整機能を有し、当該サウンド調整による調整量と、当該サウンドデータに含まれている情報に応じて状態が変形するサウンド調整用ビジュアライザーをＧＵＩ（Graphical User Interface）化して表示部に表示する表示工程と、表示工程により表示部に表示されているサウンド調整用ビジュアライザーを仮想的なポインタによって操作する操作工程と、操作工程の操作に応じて、サウンド調整用ビジュアライザーの状態を変形する変形工程と、変形工程により変形されたサウンド調整用ビジュアライザーの状態に基づき、再生工程によって再生されるサウンドデータを調整する調整工程をコンピュータに実行させるものである。
【発明の効果】
【００１４】
本願発明では、再生プログラムにより所定のファイルタイプのサウンドデータを復号し、復号したサウンドデータの再生を行い、再生されるサウンドデータに基づくサウンドを調整するサウンド調整機能を有し、当該サウンド調整による調整量と、当該サウンドデータに含まれている情報に応じて状態が変形するサウンド調整用ビジュアライザーをＧＵＩ化して表示部に表示し、表示部に表示されているサウンド調整用ビジュアライザーを仮想的なポインタによって操作し、当該操作に応じて、サウンド調整用ビジュアライザーの状態を変形し、変形されたサウンド調整用ビジュアライザーの状態に基づき、再生されるサウンドデータを調整するので、出力されているサウンドに応じてリアルタイムに変形するビジュアライザーを視認しながら、ユーザ自身が所望するサウンドになるようにビジュアライザーの状態を変形し、その変形状態によってサウンドが調整されるので、容易に、ユーザが所望するサウンドに調整することが可能であり、また、ビジュアルによるサウンド調整の状況把握が容易となる。また、本願発明では、複数の調整パラメータを同時に視認しながら、様々にパラメータを調整することができるので、この点からもユーザの所望するサウンドに容易に調整することが可能である。
【００１５】
また、本願発明は、表示される画像によってサウンド出力のための設定を行うことから、エンターテイメント性が高い。
【００１６】
また、本願発明は、従来の無機質な操作系とは違い、よりデザイン性の高い、オブジェのような新しいインターフェースの表現が可能であり、大画面化するテレビ等において、インテリアの延長として機能と融合した新しい画面デザインが可能である。
【発明を実施するための最良の形態】
【００１７】
以下、本発明の実施の形態について、図面を参照しながら詳細に説明する。
【００１８】
音響再生装置１は、図１に示すように、画像を表示する表示装置１０と、所定のファイルタイプのサウンドデータと、当該サウンドデータを復号し、復号したサウンドデータの再生を実行するための再生プログラムとが格納されてなるハードディスク等の記録媒体１１と、表示装置１０に表示されているＧＵＩ（Graphical User Interface）化されているオブジェクトを仮想的なポインタによって操作するポインティングデバイス１２と、ポインティングデバイス１２の操作に応じて、サウンドが出力されるサウンド出力部１３と、所定の演算を行うＣＰＵ１４と、ＣＰＵ１４の演算等に利用されるＲＡＭ１５と、所定のプログラムが格納されてなるＲＯＭ１６を備える。
【００１９】
なお、本発明の実施の形態では、所定のファイルタイプのサウンドデータは、記録媒体１１に格納されているものとするが、着脱可能なメディアや、ネットワークから直接提供される構成であっても良い。
【００２０】
また、ポインティングデバイス１２は、表示装置１０に表示されているオブジェクト等の操作が行えればどのような構成であっても良く、例えば、マウス、キーボード又は／及びゲームコントローラ等の特殊デバイスである。
【００２１】
また、ＣＰＵ１４は、記録媒体１１に格納されている再生プログラムが起動された場合には、当該再生プログラムによって再生されたサウンドデータに基づくサウンドを調整するサウンド調整機能を有し、かつ、当該サウンド調整による調整量と、サウンドデータに含まれている情報に応じて状態が適宜変形するサウンド調整用ビジュアライザーをＧＵＩ化して表示装置１０に表示する。また、ＣＰＵ１４は、ポインティングデバイス１２の操作に応じて、表示装置１０に表示されているサウンド調整用ビジュアライザーの動作を制御する。
【００２２】
ここで、表示装置１０に表示されるサウンド調整用ビジュアライザー（以下、単にビジュアライザーと呼ぶ。）について説明する。
【００２３】
ビジュアライザーは、例えば、図２に示すように、円錐形状のＧＵＩ化された画像からなり、上述したように、サウンドに含まれている情報に応じて、適宜形状の状態が変化し、かつ、サウンドを調整するサウンド調整機能を有する。なお、形状と状態変化の関係はあくまでも一例であり、形状は、円錐形状以外でも図３に示すような他の形状であっても良く、また、状態変化も様々のものが考えられる。なお、図３では、ビジュアライザーａが低音域のサウンドに反応して形状が変化し、ビジュアライザーｂが中音域のサウンドに反応して形状が変化し、ビジュアライザーｃが高音域のサウンドに反応して形状が変化するものである。
【００２４】
つぎに、サウンドの調整について説明する。サウンドの調整は、ポインティングデバイス１２の操作によって行われる。具体的には、ユーザがポインティングデバイス１２を操作し、円錐形状のビジュアライザーを所定方向に動かし、形状の状態や、座標位置を変化させることによりサウンドの調整を行う。
【００２５】
また、円錐形状のビジュアライザーは、図２に示すように、上部右部Ａと、上部左部Ｂと、中部右部Ｃと、中部左部Ｄと、下部右部Ｅと、下部左部Ｆと、最下部Ｇとからなり、各部の形状変化に対応して調整値が対応付けられているテーブルがＲＯＭ１６に格納されている。ＲＯＭ１６に格納されているテーブルは、図４に示すように、ビジュアライザーの状態に対するサウンドの状態が対応付けられている。
【００２６】
ＣＰＵ１４は、サウンド再生中に、ポインティングデバイス１２により円錐形状のビジュアライザーの各部の何れかが選択され、当該選択箇所がドラッグ等されて移動（変化）された場合、その移動（変化）後の位置（状態）を読み取り、当該位置（状態）に対応する設定値を上述したテーブルを参照して求め、移動（変化）前の設定値と移動（変化）後の設定値の差に基づいて、サウンドを調整する。
【００２７】
例えば、ボリュームの調整を行う場合には、円錐形状のビジュアライザーをポインティングデバイス１２により手前に倒し、倒した角度に応じて音量（ボリューム）が漸減し、また、奥に倒した場合には、その角度に応じてボリュームが漸増する。また、パンニングの調整を行う場合には、円錐形状のビジュアライザーをポインティングデバイス１２により右に倒すことによってパンを右に振り、また、左に倒すことによってパンを左に振る（図５）。なお、倒す角度によって左右のバランスの調整が図られる。
【００２８】
また、サウンド調整の種類は、上述したボリュームとパンニング以外にも、サウンドの再生、停止、早送り、巻き戻しや、音場設定や、イコライジングや、サウンドセレクトや、各種のエフェクト操作（リバーブ、コーラス、ディストーション、フランジャー、ディレイ、オーバードライブ、フェィザー等）等がある。
【００２９】
したがって、ユーザは、サウンド出力部１３から出力されているサウンドの調整作業を、ポインティングデバイス１２の操作によって、直感的かつ視覚的に行うことができる。
【００３０】
ここで、サウンドの調整機能を有するビジュアライザーを３次元形状にすることの意義について説明する。従来のサウンドの調整用のビジュアライザーは、調整用のスライダーや釦等がほぼ平面的に表示され、かつ操作されるので、一見しただけでは、サウンドの調整状況の把握が困難であった。そこで、本願発明のように、３次元形状で表現することにより、一見してサウンドの調整状況を把握することができ、また、ユーザの視覚による直感的な操作によるサウンドの調整が可能となる。
【００３１】
また、直感的な操作の例としては、サウンドのボリュームを増加（ＵＰ）したい場合には、図６に示すように、基本のビジュアライザーＡをポインティングデバイス１２の操作により大型化（図６中Ａ１）若しくは、長大化（図６中Ａ３）することにより実現される構成であっても良いし、また、サウンドのボリュームを減少（ＤＯＷＮ）したい場合には、基本のビジュアライザーＡをポインティングデバイス１２の操作により小型化（図６中Ａ２）若しくは、短小化（図６中Ａ４）することにより実現される構成であっても良い。
【００３２】
また、サウンドの音域において、低音域（ウーファー）を強調したい場合には、ポインティングデバイス１２の操作により、ビジュアライザーの上端部を絞ることにより実現される構成であっても良いし（図６中Ａ５）、また、高音域（ツイーター）を強調したい場合には、ポインティングデバイス１２の操作により、ビジュアライザーの下端部を絞ることにより実現される構成であっても良い（図６中Ａ６）。
【００３３】
また、サウンド出力部１３において、左右の出力バランスを変更し、左側よりも右側からの出力を大きくしたい場合には、ビジュアライザーの右側を右方向に引き延ばすことにより実現される構成であっても良い（図６中Ａ７）。
【００３４】
また、サウンド出力部１３が複数のスピーカで構成される場合において、リスニングポイントを調整するときには、例えば、図７に示すように、表示装置１０に仮想的な３次元空間が表示され、その３次元空間上に現実に配置されているものと同一のスピーカの構成が仮想的に表示され、任意のリスニングポイントにビジュアライザーを移動することによって、それぞれのスピーカから出力されるサウンドのボリュームが調整される構成であっても良い。このような構成によれば、ユーザは、直感的な操作によって任意のリスニングポイントを選択することができる。
【００３５】
また、コンテンツ（所定のファイルタイプのサウンドデータ）を選択する場合には、例えば、図８に示すように、表示装置１０に各コンテンツを示すオブジェクトが仮想的な３次元空間上に表示され、任意のコンテンツ上にビジュアライザーを移動することによって、任意のコンテンツが選択されるような構成であっても良い。このような構成によれば、ユーザは、直感的な操作によって任意のコンテンツを選択することができる。
【００３６】
このようにして本願発明では、再生プログラムにより所定のファイルタイプのサウンドデータを復号し、復号したサウンドデータの再生を行い、再生されるサウンドデータに基づくサウンドを調整するサウンド調整機能を有し、当該サウンド調整による調整量と、当該サウンドデータに含まれている情報に応じて状態が変形するサウンド調整用ビジュアライザーをＧＵＩ化して表示装置１０に表示し、表示装置１０に表示されているサウンド調整用ビジュアライザーを仮想的なポインタによって操作し、当該操作に応じて、サウンド調整用ビジュアライザーの状態を変形し、変形されたサウンド調整用ビジュアライザーの状態に基づき、再生されるサウンドデータを調整するので、出力されているサウンドに応じてリアルタイムに変形するビジュアライザーを視認しながら、ユーザ自身が所望するサウンドになるようにビジュアライザーの状態を変形し、その変形状態によってサウンドが調整されるので、容易に、ユーザが所望するサウンドに調整することが可能であり、また、ビジュアルによるサウンド調整の状況把握が容易となる。また、本願発明では、複数の調整パラメータを同時に視認しながら、様々にパラメータを調整することができるので、この点からもユーザの所望するサウンドに容易に調整することが可能である。
【００３７】
また、本願発明は、表示される画像によってサウンド出力のための設定を行うことから、エンターテイメント性が高い。
【００３８】
また、本願発明は、従来の無機質な操作系とは違い、よりデザイン性の高い、オブジェのような新しいインターフェースの表現が可能であり、大画面化するテレビ等において、インテリアの延長として機能と融合した新しい画面デザインが可能である。
【００３９】
また、本願発明のように、ビジュアライザーの形状と、当該形状に基づく結果の関係を一つのオブジェとしてデザインして行く手法は、サウンド以外の情報のコントロールにも有効な手段である。
【００４０】
また、本願発明は、再生プログラムにより所定のファイルタイプのサウンドデータを復号し、復号したサウンドデータの再生を行い、再生されるサウンドデータに基づくサウンドを調整するサウンド調整機能を有し、当該サウンド調整による調整量と、当該サウンドデータに含まれている情報に応じて状態が変形するサウンド調整用ビジュアライザーをＧＵＩ化して表示装置１０に表示し、表示装置１０に表示されているサウンド調整用ビジュアライザーを仮想的なポインタによって操作し、当該操作に応じて、サウンド調整用ビジュアライザーの状態を変形し、変形されたサウンド調整用ビジュアライザーの状態に基づき、再生されるサウンドデータを調整することをコンピュータに実行させるためのプログラムであっても良い。
【００４１】
なお、本発明は、図面を参照して説明した上述の実施例に限定されるものではなく、添付の請求の範囲及びその主旨を逸脱することなく、様々な変更、置換又はその同等のものを行うことができることは勿論である。
【図面の簡単な説明】
【００４２】
【図１】本発明に係る音響再生装置の構成を示すブロック図である。
【図２】本発明に係る音響再生装置により生成されるＧＵＩ化されたビジュアライザーの第１の例を示す図である。
【図３】本発明に係る音響再生装置により生成されるＧＵＩ化されたビジュアライザーの第２の例を示す図である。
【図４】本発明に係るビジュアライザーの状態に対するサウンドの状態を関連付けるテーブルを示す図である。
【図５】本発明に係るビジュアライザーの状態の変化についての説明に供する図である。
【図６】本発明に係るビジュアライザーの状態の変化と結果の関係についての説明に供する図である。
【図７】本発明に係るビジュアライザーにより任意のリスニングポイントを選択する場合の手順についての説明に供する図である。
【図８】本発明に係るビジュアライザーにより任意のコンテンツを選択する場合の手順についての説明に供する図である。
【図９】ＧＵＩ化された従来のサウンド調整を行うための調整部を示す図である。
【符号の説明】
【００４３】
１  音響再生装置、１０  表示装置、１１  記録媒体、１２  ポインティングデバイス、１３  サウンド出力部、１４  ＣＰＵ、１５  ＲＡＭ、１６  ＲＯＭ
【図１】
2006197508.tif 000003
【図２】
2006197508.tif 000004
【図３】
2006197508.tif 000005
【図４】
2006197508.tif 000006
【図５】
2006197508.tif 000007
【図６】
2006197508.tif 000008
【図７】
2006197508.tif 000009
【図８】
2006197508.tif 000010
【図９】
2006197508.tif 000011